(57)【要約】【課題】指定された道路に沿って簡単な操作で地図をスクロールさせることができる地図表示装置を提供する。【解決手段】ユーザが幹線道路３２を押圧すると幹線道路３２上の押圧された位置が地図３０の中心に表示されるように地図３０がスクロールされ、スクロールの基準となる道路として幹線道路３２が指定される。ロータリスイッチ２０６ｃを右回転させると、幹線道路３２がカーソル３１から外れないようにしながら下方に地図３０はスクロールされる。つまり、カーソル３１が幹線道路３２上を上方向に進行しているように、地図３０はスクロールされる。【選択図】図４
2011027689.tif 000002
【特許請求の範囲】
【請求項１】
地図を表示モニタに表示させる地図表示制御手段と、
スクロール対象となる道路を指定する道路指定手段と、
指定された道路のスクロール方向を選択するスクロール方向選択手段とを備え、
前記地図表示制御手段は、前記スクロール方向選択手段によって選択されたスクロール方向で、前記道路指定手段によって指定された道路に沿って前記地図をスクロールさせることを特徴とする地図表示装置。
【請求項２】
請求項１に記載の地図表示装置において、
前記スクロール方向選択手段は、回動可能な操作部材を含み、前記操作部材の回動方向により前記道路のスクロール方向を選択することを特徴とする地図表示装置。
【請求項３】
請求項１または２に記載の地図表示装置において、
前記道路指定手段によって指定された道路上の特定の交差点における分岐道路の中からいずれかひとつの分岐道路を指定する分岐道路指定手段を備え、
前記地図表示制御手段は、前記特定の交差点まで地図のスクロールが進んだときに前記地図のスクロールを停止させ、前記分岐道路指定手段によって前記分岐道路が指定された後は、前記分岐道路指定手段によって指定された分岐道路に沿って前記地図をスクロールさせることを特徴とする地図表示装置。
【請求項４】
請求項３に記載の地図表示装置において、
前記分岐道路指定手段は、前記操作部材の回動操作によって分岐道路を指定することを特徴とする地図表示装置。
【請求項５】
請求項１乃至４のいずれ１項に記載の地図表示装置において、
前記道路指定手段は、前記表示モニタに表示された道路を押圧して指定することを特徴とする地図表示装置。
【請求項６】
請求項２乃至５のいずれ１項に記載の地図表示装置において、
前記地図表示制御手段は、前記操作部材の回動操作量に応じた速度で前記地図をスクロールさせることを特徴とする地図表示装置。
【発明の詳細な説明】
【技術分野】
【０００１】
本発明は、指定された道路に沿って地図をスクロールする地図表示装置に関する。
【背景技術】
【０００２】
指定された道路に沿って地図をスクロールさせるとき、上下方向に地図をスクロールしたらよいか、左右方向に地図をスクロールしたらよいかを判断するナビゲーション装置が従来技術として知られている（たとえば、特許文献１）。ユーザは、ナビゲーション装置によって判断された上下方向、または左右方向の中から１方向を、タッチパネルの操作やジョイスティックの操作によって選択し、地図をスクロールさせる。
【先行技術文献】
【特許文献】
【０００３】
【特許文献１】特開２００６−２５８５１４号公報
【発明の概要】
【発明が解決しようとする課題】
【０００４】
道なりに地図をスクロールさせるときの対象となる道路が斜め方向の場合、上下方向に地図をスクロールさせる操作と、左右方向に地図をスクロールさせる操作とを繰り返さなければならず、操作が煩雑になるという問題点がある。
【課題を解決するための手段】
【０００５】
請求項１の発明による地図表示装置は、地図を表示モニタに表示させる地図表示制御手段と、スクロール対象となる道路を指定する道路指定手段と、指定された道路のスクロール方向を選択するスクロール方向選択手段とを備え、地図表示制御手段は、スクロール方向選択手段によって選択されたスクロール方向で、道路指定手段によって指定された道路に沿って地図をスクロールさせることを特徴とする。
【発明の効果】
【０００６】
本発明によれば、指定された道路に沿って簡単な操作で地図をスクロールさせることができる。
【図面の簡単な説明】
【０００７】
【図１】本発明の実施の形態によるナビゲーション装置の構成を示す図である。
【図２】入力装置を説明するための図である。
【図３】地図に表示された道路の中から地図スクロールの基準となる道路を指定する操作を説明するための図である。
【図４】指定された道路に沿って地図をスクロールさせる操作を説明するための図である。
【図５】指定された道路に沿って地図をスクロールさせる操作を説明するための図である。
【図６】本発明の実施形態における地図スクロール処理を説明するためのフローチャートである。
【図７】本発明の実施形態における地図スクロール処理を説明するためのフローチャートである。
【発明を実施するための形態】
【０００８】
図１は、本発明の実施形態によるナビゲーション装置１を示す。このナビゲーション装置１は、表示モニタ１６に表示された道路の中から地図のスクロールの基準となる道路をユーザに指定させ、その指定された道路に沿って地図をスクロールすることができる。
【０００９】
ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、ＶＩＣＳ（Vehicle Information and Communication System）（登録商標）情報受信部１１１およびディスクドライブ１１２を有している。ディスクドライブ１１２には、地図データが記憶されたＤＶＤ−ＲＯＭ１１３が装填されている。
【００１０】
制御回路１１は、マイクロプロセッサ及びその周辺回路からなり、ＲＡＭ１３を作業エリアとしてＲＯＭ１２に格納された制御プログラムを実行して各種の制御を行う。制御回路１１がＤＶＤ−ＲＯＭ１１３に記憶された地図データに基づいて所定の経路探索処理を行うと、その処理結果が推奨経路として表示モニタ１６に表示される。
【００１１】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、現在地検出装置１４により検出された車両の現在地に基づいて、地図の表示範囲などを決定する。また、車両の現在地を地図上に自車位置マークとして表示する。
【００１２】
画像メモリ１５は、表示モニタ１６に表示するための画像データを格納する。この画像データは道路地図描画用データや各種の図形データからなる。それらはＤＶＤ−ＲＯＭ１１３に記憶された地図データなどに基づいて、適宜生成される。ナビゲーション装置１は、このようにして生成された画像データを用いることによって地図の表示を行うことができる。
【００１３】
ディスクドライブ１１２は、ＤＶＤ−ＲＯＭ１１３から地図データを読み出す。地図データは、地図表示用データ、経路探索用データなどを含む。地図表示用データおよび経路探索用データには、地図データに格納されている道路のリンク情報およびノード情報が含まれている。地図表示用データは、複数の縮尺の地図データを有する。これにより、ユーザの要求にしたがって、表示地図の縮尺を変更することができる。なお、ＤＶＤ−ＲＯＭ１１３以外の他の記録メディア、たとえばＣＤ−ＲＯＭやハードディスクなどから地図データを読み出してもよい。
【００１４】
表示モニタ１６は、地図データなどの各種情報に基づいて、現在地付近の地図などの各種情報を画面表示としてユーザに提供する。スピーカ１７は、各種入力操作をユーザに指示したり、経路誘導したりするための音声を出力する。
【００１５】
入力装置１８は、ユーザが各種コマンドの設定などするための操作キーを有し、ロータリスイッチ、操作パネル上のボタンスイッチやパネル周囲のハードスイッチなどによって実現される。入力装置１８はセンターコンソールの下部側に設置される。図２を参照して入力装置１８の詳細について説明する。
【００１６】
図２に示すように、入力装置１８は、戻るボタン２０２、メニュー画面表示ボタン２０３、情報・ＴＶボタン２０４、オーディオボタン２０５、８方向＆決定スイッチ２０６、広域ボタン２０７、詳細ボタン２０８、ナビメニューボタン２０９、現在地ボタン２１０、設定ボタン２１１、状態表示ボタン２１２、画面・消ボタン２１３、第１のお気に入りボタン２１４および第２のお気に入りボタン２１５を有する。
【００１７】
戻るボタン２０２は、項目設定中の各画面では一つ前の画面に戻すボタンである。項目設定の最終画面では決定を入力するボタンである。メニュー画面ボタン２０３は、ナビゲーション装置１のメニュー画面を表示させるボタンである。情報・ＴＶボタン２０４は、情報・ＴＶ（不図示）に関するメニュー画面を表示させるボタンである。オーディオボタン２０５は、オーディオ（不図示）に関するメニュー画面を表示させるボタンである。
【００１８】
８方向＆決定スイッチ２０６は、８方向ボタン２０６ａ、決定ボタン２０６ｂおよびロータリスイッチ２０６ｃから構成される。８方向ボタン２０６ａは、三角マークが付された４つのボタンとこれら４つのボタンに挟まれて配置されている４つのボタンとから構成される。８方向ボタン２０６ａを操作することにより、表示モニタ１６に表示されたボタンやメニューを選択することができる。決定ボタン２０６ｂは、８方向ボタン２０６ａの操作により選択されたボタンやメニューに定義された処理を実行させるためのボタンである。ロータリスイッチ２０６ｃは、８方向＆決定スイッチ２０６の外周部に配置されたリング状の操作部材であり、矢印Ｒ方向に回動操作することができるスイッチである。ロータリスイッチ２０６ｃを回動操作することによって、指定された道路に沿って地図をスクロールさせることができる。
【００１９】
広域ボタン２０７は、地図表示の縮尺を広域側に切り換えるボタンである。詳細ボタン２０８は、地図表示の縮尺を詳細側に切り換えるボタンである。ナビメニューボタン２０９は、ナビゲーションシステムのメニュー画面を表示させるボタンである。現在地ボタン２１０は、車両の現在地周辺の地図を表示させるボタンである。設定ボタン２１１は、設定メニュー画面を表示させるボタンである。状態表示ボタン２１２は、エアコン（不図示）、オーディオ（不図示）の動作状態を表示させるボタンである。画面・消ボタン２１３は、表示モニタ１６の画面に表示された画像を全て消去したり、画面表示色、明るさ、コントラストなどを調整したりするボタンである。第１のお気に入りボタン２１４および第２のお気に入りボタン２１５は、それぞれのボタンに登録されている機能を実行させるボタンである。
【００２０】
ユーザは、表示モニタ１６に表示された画像の指示やスピーカ１７からの音声指示にしたがって、入力装置１８を操作して目的地を設定する。目的地がユーザにより設定されると、ナビゲーション装置１は、現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、他の道路と区別して表示モニタ１６に表示される。これにより、ユーザは地図上の推奨経路を認識することができる。また、ナビゲーション装置１は、推奨経路にしたがって車両が走行できるように、ユーザに対して画像や音声などによる進行指示で経路誘導を行う。
【００２１】
図１のタッチパネル１９は、表示モニタ１５の表面に積層される透明のタッチスイッチである。表示モニタ１６に表示される画像はタッチパネル１９を通して表示される。このため、ユーザが表示モニタ１６に表示された各種ボタンや表示メニューなどを指などで押圧すると、タッチパネル１９が押圧される。タッチパネル１９は、タッチパネル１９上の押圧位置に応じた信号をタッチパネルコントロール部１１０に送出する。タッチパネルコントロール部１１０は、その信号に基づいてタッチパネル１９の押圧位置を算出し制御回路１１に出力する。そして、制御回路１１は、タッチパネルコントロール部１１０から出力された信号に基づいて、押圧された各種ボタンや表示メニューに定義された処理を実行する。
【００２２】
ＶＩＣＳ情報受信部１１１は、図示しないＶＩＣＳ情報センタから提供される渋滞情報などのＶＩＣＳ情報を受信し、制御回路１１に出力する。受信されたＶＩＣＳ情報は渋滞表示線やアイコンとして地図に重ねて表示される。
【００２３】
次に、図３〜図５を参照して、本発明の実施形態における地図のスクロール操作を説明する。このスクロール操作により、地図に表示された道路の中からスクロールの基準となる道路を指定し、その道路に沿って地図をスクロールさせることができる。
【００２４】
本発明の実施形態におけるナビゲーション装置１は、地図をスクロールするモードとして、タッチスクロールモードとダイヤルスクロールモードとを有する。タッチスクロールモードは、押圧された位置が画面の中央に移動するように地図をスクロールするモードであり、従来の地図をスクロールするモードである。ダイヤルスクロールモードは、ロータリスイッチ２０６ｃの操作により、指定された道路に沿って地図をスクロールするモードであり、本発明の地図をスクロールするモードである。最初は、タッチスクロールモードに設定されているものとして説明する。
【００２５】
図３を参照して、地図に表示された道路の中からスクロールの基準となる道路を指定する操作を説明する。表示モニタ１６の画面に地図３０が表示されると、画面にはカーソル３１が表示される。カーソル３１の位置は、地図３０または画面の中心の位置に対応する。
【００２６】
図３（ａ）に示すようにユーザが幹線道路３２を押圧すると、図３（ｂ）に示すように幹線道路３２上の押圧された位置が地図３０の中心に表示されるように地図３０がスクロールされる。そして、スクロールモードがタッチスクロールモードからダイヤルスクロールモードに切り替わり、スクロールの基準となる道路として幹線道路３２が指定される。ここで、幹線道路は、高速道路、有料道路、国道、県道などの主要道路である。
【００２７】
一方、ユーザが押圧した道路が幹線道路でなかったり、ユーザが押圧した位置に道路がなかったりした場合は、スクロールモードは、タッチスクロールモードからダイヤルスクロールモードに切り替わらない。
【００２８】
図４および図５を参照して、指定された道路に沿って地図をスクロールさせる操作を説明する。スクロールさせる方向は、ロータリスイッチ２０６の回転方向によって選択することができる。図４（ａ）に示すようにユーザがロータリスイッチ２０６ｃを右回転すると、図４（ｂ）に示すように、幹線道路３２がカーソル３１から外れないようにしながら下方に地図３０がスクロールされる。つまり、カーソル３１が幹線道路３２上を上方向に移動するように、地図３０がスクロールされる。一方、ユーザがロータリスイッチ２０６ｃを左回転すると、幹線道路３２がカーソル３１から外れないようにしながら上方に、地図３０がスクロールされる。つまり、カーソル３１が幹線道路３２上を下方向に移動するように、地図３０がスクロールされる。
【００２９】
また、本発明の実施形態では、ロータリスイッチ２０６ｃを回動する操作量を変更することによって、スクロールの速度を変更することができる。ロータリスイッチ２０６ｃの回転角度が大きくするとスクロール速度は大きくなり、回転角度を小さくするとスクロール速度は小さくなる。
【００３０】
図４（ｃ）に示すように、カーソル３１が幹線道路３２，３３同士の交差点３４に移動すると、地図３０のスクロールは停止する。そして、地図３０の縮尺は詳細側に切り替わり、図５（ａ）に示すように交差点３４周辺の詳細地図４０が表示モニタ１６に表示される。
【００３１】
図５（ａ）に示すように、詳細地図４０が表示されると、交差点３４を通過後にカーソルを移動させる分岐道路を指定させるための矢印４１〜４３が表示される。ロータリスイッチ２０６ｃの回動操作によって矢印４１〜４３の中からひとつの矢印４１を選択することができる。ロータリスイッチ２０６ｃを右回転すると、選択される矢印は右側の矢印に移動し、左回転すると、選択される矢印は左側の矢印に移動する。選択された矢印４１の表示態様は、他の矢印４２，４３の表示態様と異なるように変更される。
【００３２】
矢印４１を選択した後、８方向＆決定スイッチ２０６の決定ボタン２０６ｂを押圧すると、矢印４１の選択が確定し、スクロールの基準となる分岐道路の指定が確定する。そして、地図の縮尺は図４（ｃ）の地図３０の縮尺と同一の縮尺に戻る。
【００３３】
ユーザがロータリスイッチ２０６ｃを右回転すると、図５（ｂ）に示すように、カーソル３１が、分岐道路である幹線道路３３上を選択された矢印４１の方向へ移動するように、地図３０がスクロールされる。つまり、幹線道路３３がカーソル３１から外れないようにしながら左方向に、地図３０がスクロールされる。その後、ロータリスイッチ２０６ｃを左回転すると、カーソル３１が交差点３４の方向へ幹線道路３３上を戻るように、地図３０がスクロールされる。つまり、幹線道路３３がカーソル３１から外れないようにしながら右方向に、地図３０がスクロールされる。
【００３４】
タッチスクロールモードで地図のスクロールを再び行いたい場合は、地図を再び押圧して、ダイヤルスクロールモードからタッチスクロールモードに切り替えることができる。
【００３５】
次に、本発明の実施形態における地図スクロール処理について、図６および図７のフローチャートを参照して説明する。図６および図７の処理は、地図が表示モニタ１６に表示されるとスタートするプログラムにより、制御回路１１において実行される。
【００３６】
ステップＳ６０１では、表示モニタ１６に表示された地図が押圧されたか否かを判定する。地図が押圧された場合はステップＳ６０１が肯定判定され、ステップＳ６０２へ進む。地図が押圧されていない場合はステップＳ６０４へ進む。ステップＳ６０２では、地図に表示されている対象物のうち、ステップＳ６０１で押圧された対象物は幹線道路であるか否かを判定する。タッチパネルコントロール部１１０で算出されたタッチパネル１９の押圧位置が、表示されている幹線道路から所定距離内であるか否かによって幹線道路が押圧されたか否かを判定する。幹線道路の表示位置は幹線道路のリンクやノードの位置情報から算出する。押圧された対象物が幹線道路である場合はステップＳ６０２が肯定判定され、図７のステップＳ７０１へ進む。押圧された対象物が幹線道路でない場合はステップＳ６０２が否定判定され、ステップＳ６０３に進む。
【００３７】
ステップＳ６０３では、地図の押圧位置が画面の中心に移動するように地図をスクロールする。ステップＳ６０４では、地図が表示モニタ１６に表示されているか否かを判定する。地図が表示モニタ１６に表示されている場合はステップＳ６０４が肯定判定され、ステップＳ６０１に戻る。地図が表示モニタ１６に表示されていない場合はステップＳ６０４が否定判定され、地図スクロール処理を終了する。
【００３８】
ステップＳ７０１では、地図上の押圧位置が画面の中心になるように地図を表示する。ステップＳ７０２では、ロータリスイッチ２０６ｃの回動方向および回動操作量を検出する。
【００３９】
ステップＳ７０３では、ステップＳ７０２で検出したロータリスイッチ２０６ｃの回転方向に基づいて地図のスクロール方向を検定する。たとえば、ロータリスイッチ２０６ｃが右回転された場合は、道路の一方の方向（順方向）へ道路に沿って地図をスクロールし、ロータリスイッチ２０６ｃが左回転された場合は、道路の他方の方向（逆方向）へ道路に沿って地図をスクロールする。ステップＳ７０４では、ステップＳ７０２で検出したロータリスイッチ２０６ｃの単位時間当たりの回動操作量に基づいて地図のスクロール速度を決定する。
【００４０】
ステップＳ７０５では、ステップＳ６０１で押圧された幹線道路上にカーソルが常に表示されるようにしながら、ステップＳ７０３で決定したスクロール方向およびステップＳ７０４で決定したスクロール速度で地図をスクロールする。つまり、ステップＳ７０３で決定した道路の方向（順方向または逆方向）およびステップＳ７０４で決定した速度でカーソルが幹線道路上を移動しているように地図をスクロールする。
【００４１】
ステップＳ７０６では、幹線道路同士の交差点上にカーソルが表示されているか否かを判定する。幹線道路同士の交差点の位置は、交差点に対応するノードの位置情報から算出することができる。幹線道路同士の交差点上にカーソルが表示されている場合はステップＳ７０６が肯定判定され、ステップＳ７０７へ進む。幹線道路同士の交差点上にカーソルが表示されていない場合はステップＳ７０６が否定判定され、ステップＳ７１０に進む。
【００４２】
ステップＳ７０７では、幹線道路同士の交差点周辺の詳細地図を表示モニタ１６に表示させるとともに、交差点から分岐している分岐道路を選択させるための矢印を表示させる。ステップＳ７０８では、矢印が選択されたか否かを判定する。矢印が選択された場合はステップＳ７０８が肯定判定され、ステップＳ７０９へ進む。矢印が選択されていない場合はステップＳ７０８を繰り返す。
【００４３】
ステップＳ７０９では、選択された矢印に基づいて、ロータリスイッチ２０６ｃを時計回りに回転したときのスクロール方向を決定する。具体的には、ロータリスイッチ２０６ｃを時計回りに回転すると、選択された矢印に対応する分岐道路に沿って、カーソル３１が交差点から離れる方向に地図をスクロールする。一方、ロータリスイッチ２０６ｃを反時計回りに回転すると、選択された矢印に対応する分岐道路に沿って、カーソル３１が交差点に近づく方向に地図をスクロールする。
【００４４】
ステップＳ７１０では、地図の縮尺を元に戻す。ステップＳ７１１では、表示モニタ１６に表示された地図が押圧されたか否かを判定する。地図が押圧された場合はステップＳ７１１が肯定判定され、図６のステップＳ６０１に戻る。地図が押圧されない場合はステップＳ７１０が否定判定され、ステップＳ７０１に戻る。
【００４５】
以上の本発明の実施形態によるナビゲーション装置１は次のような作用効果を奏する。
（１）ロータリスイッチ２０６ｃの回転方向によって地図のスクロール方向を選択できるようにして、地図画面上で指定された幹線道路３２に沿って、選択されたスクロール方向で地図３０をスクロールするようにした。したがって、地図をスクロールさせるときの対象となる道路が斜め方向の場合でも、上下方向に地図をスクロールさせる操作と、左右方向に地図をスクロールさせる操作とを繰り返す必要がないので、指定された幹線道路３２に沿って簡単に地図３０をスクロールさせることができる。
【００４６】
（２）回動可能な操作部材であるロータリスイッチ２０６ｃの回動方向により地図をスクロールさせる方向を選択できるようにした。これにより、ロータリスイッチ２０６ｃを少し回転して地図がスクロールした方向から、ロータリスイッチ２０６ｃの回転方向と地図のスクロール方向との間の関係を容易に認識することができ、便利である。さらに、ロータリスイッチ２０６ｃの回転方向を逆にすればすぐにスクロール方向を変更できる。
【００４７】
（３）幹線道路３２，３３同士の交差点３４が表示モニタ１６に表示されたとき、地図３０のスクロールを停止させ、表示モニタ１６に表示された交差点３４の分岐道路３２，３３のうち、どの道路に沿って地図をスクロールさせるかをユーザに指定させ、指定された分岐道路３３に沿って地図３０をスクロールするようにした。したがって、交差点を右左折するルートに沿って地図をスクロールさせることができるので便利である。
【００４８】
（４）回動可能な操作部材であるロータリスイッチ２０６ｃの回動操作によって、交差点の分岐道路３２，３３の中でスクロールの基準となる分岐道路３３を指定できるようにした。これにより、地図３０のスクロールと、分岐道路３２，３３の指定とを一つの操作部材２０６ｃで行えるので便利である。
【００４９】
（５）地図画面を押圧してスクロールの基準となる道路を指定できるようにした。したがって、簡単な操作によって、スクロールの基準となる道路を指定できる。
【００５０】
（６）ロータリスイッチ２０６ｃの単位時間当たりの回動操作量に応じて地図３０のスクロール速度を変更するようにした。これにより、地図のスクロール速度を容易に変更することができ便利である。
【００５１】
以上の実施の形態を次のように変形することができる。
（１）道路の一方の方向および他方の方向のうちのひとつの方向を選択することができれば、選択するときに使用する操作部材はロータリスイッチ２０６ｃに限定されない。たとえば、ジョイスティックで選択できるようにしてもよい。
【００５２】
（２）回動可能な操作部材であればロータリスイッチ２０６ｃに限定されない。
【００５３】
（３）幹線道路同士の交差点上にカーソルが表示されたとき、交差点から分岐している分岐道路を指定させるための矢印を表示させたが、幹線道路同士の交差点が表示モニタ１６に表示されたときに交差点から分岐している分岐道路を指定させるための矢印を表示させるようにしてもよい。また、交差点から分岐している分岐道路を指定させるための矢印を表示させるとき、地図の縮尺を変更したが、地図の縮尺を変更しないようにしてもよい。
【００５４】
（４）スクロールの基準となる道路は幹線道路に限定されない。たとえば、地図に市道しか表示されていない場合、市道に沿って地図をスクロールさせるようにしてもよい。
【００５５】
（５）スクロールされる地図の向きは、北を上に表示するノースアップ表示でもよいし、カーソルの進行方向を上にするヘッディングアップ表示でもよく、とくに限定されない。
【００５６】
（６）地図画面を押圧して指定された道路をスクロールの基準とする道路（基準道路）として指定するようにした。しかし、ユーザが所望の道路を指定できれば、基準道路の指定方法は実施形態に限定されない。たとえば、道路の名称を表示したリストから基準道路を指定できるようにしてもよい。
【００５７】
（７）回動可能な操作部材であるロータリスイッチ２０６ｃの回動操作によって、交差点の分岐道路３２，３３の中でスクロールの基準となる分岐道路３３を指定できるようにした。しかし、詳細地図４０に表示された矢印４１〜４３を押圧することによりスクロールの基準となる分岐道路３３を指定できるようにしてもよい。
【００５８】
（８）地図表示装置であれば、車載ナビゲーション装置に限定されない。たとえば、本発明は地図が表示される携帯ナビゲーション装置あるいは携帯式電子機器についても適用できる。
【００５９】
実施形態と変形例の一つ、もしくは複数を組み合わせることも可能である。変形例同士をどのように組み合わせることも可能である。
【００６０】
以上の説明はあくまで一例であり、発明は、上記の実施形態に何ら限定されるものではない。
【符号の説明】
【００６１】
１  ナビゲーション装置
１１  制御回路
１６  表示モニタ
１８  入力装置
１９  タッチパネル
１１０  タッチパネルコントロール部
２０６ｂ  決定ボタン
２０６ｃ  ロータリスイッチ
【図１】
2011027689.tif 000003
【図２】
2011027689.tif 000004
【図３】
2011027689.tif 000005
【図４】
2011027689.tif 000006
【図５】
2011027689.tif 000007
【図６】
2011027689.tif 000008
【図７】
2011027689.tif 000009